(57)【要約】  コンベヤは、低張力の直接駆動コンベヤベルトと、位置リミッタ組立体と、を採用する。位置リミッタ組立体は、一次位置リミッタと二次位置リミッタとを含む。一次位置リミッタは、コンベヤベルトとの接触係合ラインを提供し、一方で二次位置リミッタは、一次位置リミッタとの接触ラインの前に、コンベヤベルトが駆動スプロケットから係脱された場合にコンベヤベルトと係合するための拡張された静的制限面を有する。【選択図】図１
2019517967.tif 000002
【特許請求の範囲】
【請求項１】
コンベヤベルト用の位置リミッタ組立体であって
第１の端部から第２の端部まで延びる取り付け軸と、
前記取り付け軸に取り付けられたローラリミッタと、
前記ローラリミッタに隣接した前記取り付け軸に取り付けられたスナップオン位置リミッタと、を含む、位置リミッタ組立体。
【請求項２】
前記ローラリミッタが、前記取り付け軸上で自由に回転する、請求項１に記載の位置リミッタ組立体。
【請求項３】
前記スナップオン位置リミッタが、スクレーパ組立体を取り付けるためのスクレーパ取り付け部を含む、請求項１に記載の位置リミッタ組立体。
【請求項４】
前記スナップオン位置リミッタが、前記コンベヤベルト上の少なくとも二枚の駆動歯にわたる制限面を有する、請求項１に記載の位置リミッタ組立体。
【請求項５】
前記ローラリミッタが、前記スナップオン位置リミッタの上面よりも高い前記コンベヤベルトとの接触ラインを形成する上面を有する、請求項１に記載の位置リミッタ組立体。
【請求項６】
前記スナップオン位置リミッタが、前記取り付け軸に対して軸方向に固定され、かつ回転自在に固定されている、請求項１に記載の位置リミッタ組立体。
【請求項７】
前記取り付け軸の前記第１の端部は、第１のスロットを有する端面を有し、前記取り付け軸の前記第２の端部は、第２のスロットを有する端面を有する、請求項１に記載の位置リミッタ組立体。
【請求項８】
コンベヤベルト用の位置リミッタ組立体であって
第１の端部から第２の端部まで延びる取り付け軸と、
前記取り付け軸に取り付けられた自由回転ローラを備える一次位置リミッタと、
前記取り付け軸に取り付けられ、前記取り付け軸へと回転自在に固定されている二次位置リミッタと、を備える、位置リミッタ組立体。
【請求項９】
前記二次位置リミッタが、前記取り付け軸上に前記二次位置リミッタを取り付けるためのスナップクランプを含む、請求項８に記載の位置リミッタ組立体。
【請求項１０】
前記二次位置リミッタが、スクレーパ組立体を取り付けるためのスクレーパ取り付け部を含む、請求項８に記載の位置リミッタ組立体。
【請求項１１】
コンベヤベルト用のアウトフィード組立体であって、
駆動軸に取り付けられたスプロケットと、
第１の端部から第２の端部まで延びる取り付け軸と、前記取り付け軸に取り付けられ、かつ第１のギャップだけスプロケットから離間された一次位置リミッタと、前記取り付け軸に取り付けられ、かつ前記第１のギャップよりも大きい第２のギャップだけ前記スプロケットから離間された二次位置リミッタと、を備える位置リミッタ組立体と、を備える、アウトフィード組立体。
【請求項１２】
前記一次位置リミッタが、前記取り付け軸に取り付けられた自由回転ローラを備える、請求項１１に記載のアウトフィード組立体。
【請求項１３】
前記二次位置リミッタが、前記取り付け軸に前記二次位置リミッタを取り付けるためのスナップクランプを含む、請求項１１に記載のアウトフィード組立体。
【請求項１４】
コンベヤベルト用の位置リミッタ組立体であって、
第１の端部から第２の端部まで延び、かつ取り付け軸をコンベヤフレームに取り付けるための端面にスロットを有する前記取り付け軸と、
前記取り付け軸に取り付けられた回転可能なローラを備える、第１のローラリミッタと、を備える、位置リミッタ組立体。
【請求項１５】
前記取り付け軸に取り付けられた第２のローラリミッタと、
前記第１のローラリミッタと前記第２のローラリミッタとの間に取り付けられたスナップオン位置リミッタと、をさらに備える、請求項１４に記載の位置リミッタ組立体。
【請求項１６】
前記スナップオン位置リミッタ上のスクレーパ取り付け部内に取り付けられたスクレーパ組立体をさらに備える、請求項１５に記載の位置リミッタ組立体。
【請求項１７】
前記第１及び第２のローラリミッタが、前記スナップオン位置リミッタの上面よりも高い前記コンベヤベルトとの接触ラインを形成する上面を有する、請求項１５に記載の位置リミッタ組立体。
【請求項１８】
前記第１のローラリミッタが、前記取り付け軸上で自由に回転する、請求項１４に記載の位置リミッタ組立体。
【発明の詳細な説明】
【技術分野】
【０００１】
関連出願の相互参照
本出願は、２０１６年５月２４日に出願された「Ｐｏｓｉｔｉｏｎ  Ｌｉｍｉｔｅｒ  Ａｓｓｅｍｂｌｙ  ｆｏｒ  ａ  Ｃｏｎｖｅｙｏｒ  Ｂｅｌｔ」と題する米国仮特許出願番号第６２／３４０，８２８号の優先権を主張し、その内容は参照により本明細書に援用される。
【０００２】
本発明は、概して動力駆動コンベヤに関し、より詳細には、スプロケットによって駆動される熱可塑性の歯付きエンドレスベルトに関する。
【背景技術】
【０００３】
その内容が参照により本明細書に援用される、米国特許第７，８５０，５６２号に記載されているような位置リミッタは、低張力で確実に駆動するベルトシステムで駆動歯の受け渡しプロセス中にコンベヤベルトの位置を制御することによってコンベヤベルトと駆動スプロケットとの適切な係合を確保するために使用される。位置リミッタは、コンベヤベルトに対して出口点近くに配置されてもよい。位置リミッタの例としては、スクレーパ、ローラ、及びシューが挙げられる。
【０００４】
現在の位置リミッタは、取り付け軸に固定されており、これにより、汚れや屑を捕捉する場合があり、また位置リミッタの分解及び／又は交換を妨げる場合がある。さらに、現在の位置リミッタは、通常、予め張力が加えられていないときに、コンベヤベルトが駆動スプロケットから自然の状態で落ち込むことになる位置、典型的にはベルトが駆動スプロケットに入る角度から１６５°回り込んだ位置に概して配置されている。したがって、位置リミッタは、使用される場合、ベルトスクレーパと同じ空間を競合する。さらに、位置リミッタは、駆動スプロケットと軸方向に位置合わせされなければならず、これは、微生物にとって好都合な溜り場となる可能性があるロックカラー又はファスナを必要とし、したがって食品の安全性にリスクをもたらすことになる。
【発明の概要】
【０００５】
確実に駆動する低張力コンベヤベルト用の位置リミッタ組立体は、一次位置リミッタと、取り付け軸に取り付けられた第２の位置リミッタとを含む。位置リミッタ組立体は、運転中、コンベヤベルト及び駆動部の駆動要素間の適切な係合を確保するためにコンベヤフレームに取り付けることができる。
【０００６】
一態様によれば、コンベヤベルト用の位置リミッタ組立体は、第１の端部から第２の端部まで延びる取り付け軸と、取り付け軸に取り付けられたローラリミッタと、ローラリミッタに隣接する取り付け軸に取り付けられたスナップオン位置リミッタと、を備えている。
【０００７】
別の態様によれば、コンベヤベルト用の位置リミッタ組立体は、第１の端部から第２の端部まで延びる取り付け軸と、取り付け軸に取り付けられた自由回転ローラを備える一次位置リミッタと、取り付け軸に取り付けられた二次位置リミッタと、を備えている。二次位置リミッタは、取り付け軸に対して回転自在に固定されている。
【０００８】
別の態様によれば、コンベヤベルト用のアウトフィード組立体は、駆動軸に取り付けられたスプロケットと、第１の端部から第２の端部まで延びる取り付け軸を備える位置リミッタ組立体と、を備え、一次位置リミッタは取り付け軸に取り付けられ、かつ第１のギャップだけスプロケットから離間され、また二次位置リミッタは取り付け軸に取り付けられ、かつ第１のギャップよりも大きい第２のギャップだけスプロケットから離間される。
【０００９】
さらに別の態様によれば、コンベヤベルト用の位置リミッタ組立体は、第１の端部から第２の端部まで延びる取り付け軸を備え、かつ取り付け軸をコンベヤフレームに取り付けるための端面におけるスロットと、取り付け軸に取り付けられた回転可能なローラを備えるローラリミッタとを有する。
【図面の簡単な説明】
【００１０】
開示されたシステム及び方法は、以下の図面を参照することによって理解できる。図面内のコンポーネントは、必ずしも実寸に比例していない。
【図１】本発明の一実施形態による位置リミッタ組立体の等角投影図である。
【図２】図１の位置リミッタ組立体の側面図である。
【図３】図１の位置リミッタ組立体の上面図である。
【図４】そこに取り付けられたスクレーパ組立体を有する図１の位置リミッタ組立体の等角投影図である。
【図５】図４の組み合わせられた組立体の側面図である。
【図６】位置リミッタ及びスクレーパ組立体を含むアウトフィード端部におけるコンベヤフレームの等角投影図である。
【図７】駆動スプロケットを含む図６のコンベヤフレーム端部を示す。
【図８】図７の実施形態の側面図である。
【発明を実施するための形態】
【００１１】
コンベヤは、ベルトと駆動スプロケットとの適切な係合を確保するために、確実に駆動するコンベヤベルト、駆動スプロケット、及び位置リミッタ組立体を採用する。位置リミッタは、工具を使用することなく、または最小限の工具の使用により、軸に取り付けられ、軸に保持され、また軸から取り外されてもよい。
【００１２】
コンベヤベルト駆動部上の駆動要素とコンベヤベルト上の駆動要素との間の適切な係合を確保するために、位置リミッタを使用してもよい。位置リミッタは、米国特許第７，８５０，５６２号、同第９，１５１，３５７号、同第９，２９６，５６５号、及び同第９，５５５，９７１号に記載され、その内容は参照により本明細書に組み込まれる。
【００１３】
図１〜３は、コンベヤで使用するのに好適な位置リミッタ組立体１００の一実施形態を示す。位置リミッタ組立体は、その上に取り付けられた位置リミッタのアレイを含む取り付け軸１１０を含む。位置リミッタのアレイは、取り付け軸の長さに沿ってスナップオン位置リミッタ１３０と交互に配置されたローラリミッタ１２０を含む。取り付け軸１１０は、位置リミッタ組立体１００をコンベヤフレームに取り付けるための一つ以上のスロット１１１を端面に有する。スナップオン位置リミッタ１３０は、より大きな制限面を有するが、位置リミッタ組立体１００がコンベヤ内に取り付けられたとき、駆動スプロケットからより遠くに離間される。
【００１４】
各ローラリミッタ１２０は、軸１１０上で自由に回転することができるダイナミックローラを備えている。ローラリミッタ１２０はまた、軸１１０上を摺動することもできる。ローラリミッタは、コンベヤベルトのための接触ライン１２１を提供する。ローラリミッタ１２０は、組立体内の一次位置リミッタであり、正常動作中にコンベヤベルト駆動部上の駆動要素とコンベヤベルト上の駆動要素との間の適切な係合を確保するように機能する。
【００１５】
スナップオン位置リミッタ１３０は、一次位置リミッタ１２０が係合を維持することができない場合、二次位置リミッタ又はバックアップ位置リミッタとして機能する。例示的なスナップオン位置リミッタは、各々、スナップクランプ部１３２と、延長された静的制限面１３４と、スクレーパ取り付け部１３６と、を備える。スナップクランプ部は、軸１１０にスナップ留めされる一対の脚を含む。一方の脚は、軸１１０上のチャネルに受容されるテーパ状の内側に面する先端部と、軸１１０上のスロットの中に嵌合してスナップクランプ位置リミッタを軸１１０にロックするための軸方向タブと、を含む。スナップオン位置リミッタは、コンベヤの動作中に軸１１０上に軸方向に固定され、かつ回転自在に固定されるが、クリーニング又は交換のために取り外し可能であることが好ましい。例示の制限面１３４は、コンベヤ駆動部上の駆動歯とコンベヤベルトとの間の係合を確保するために、表面積がより大きくなっている。例示の制限面１３４は、コンベヤベルトの二枚の駆動歯にわたって、一枚の駆動歯から次の駆動歯への制御された受け渡しを確保する。スクレーパ取り付け部１３６は、図４に示すように、スクレーパ取り付けバーを受容するための凹部１３８を形成する。
【００１６】
コンベヤに組み立てられたとき、ローラリミッタ１２０は、スプロケットとスナップオン位置リミッタ１３０とを隔てるギャップよりも小さいギャップだけスプロケットから分離される。正常動作中、ダイナミックローラリミッタは、コンベヤベルトを点１２１で係合させたままにする。
【００１７】
コンベヤベルトが係合されたままである限り、コンベヤベルトはスナップオン位置リミッタ１３０に接触せず、スナップオン位置リミッタ上の摩耗を防止する。しかし、障害物又は他の問題により、ローラリミッタの接触ライン１２１の前の位置において、ベルトがスプロケットとの係合から引き離されると、スナップオン位置リミッタ１３０はコンベヤベルトと接触して、スプロケットとコンベヤベルトの係合を確保する。スナップオン位置リミッタ１３０は、まれではあるが、接触ライン１２１の前にコンベヤベルトが係脱したときにのみコンベヤベルトに接触するため、スナップオン位置リミッタはアセタールのような高摩耗材料で形成することができる。
【００１８】
図４及び５に示されるように、スクレーパ組立体を取り付けるために、バックアップスナップオン位置リミッタ１３０も使用してもよい。アセタールは比較的強いので、アセタールやその他の高摩耗材料を使用する能力は、スクレーパ取り付け部の組み込みを促進する。例示のスクレーパ組立体２００は、スナップオン位置リミッタ１３０の凹部１３８の中に挿入されたスクレーパ取り付けバー２１０を備えている。複数のスクレーパブレードレセプタクル２２０は、スクレーパ取り付けバー２１０から上に延び、スクレーパブレード２３０は、レセプタクル２２０内に挿入される。ブラケット２５０を使用してカウンタウェイト２４０をスクレーパ取り付けバー２１０に取り付けてもよい。カウンタウェイト２４０は、スクレーパブレード２３０をコンベヤベルトの外面と接触させるように付勢する。
【００１９】
スクレーパ組立体２００がその上に取り付けられた位置リミッタ組立体１００は、図６〜８に示されるように、コンベヤフレーム３００に取り付けることができる。コンベヤフレーム３００は、側板３０１、３０２に取り付けられた軸受４０４、４０５に収容された駆動軸４０２に取り付けられた一連のスプロケット４０１として示される、コンベヤ駆動部４００を取り付けるための構造体を含む対向する側板３０１、３０２を備える。各側板３０１、３０２は、位置リミッタ組立体１００を取り付けるために駆動マウントの下に開口部３０６を含む。ハンドル３４０は、取り付け軸１１０を係合して、位置リミッタ組立体１００を係合位置へと、及び係合位置の外へと選択的に移動させる。ハンドル３４０は、取り付けバー１１０の端面のスロット１１１に係合するオフセット突出部を含む。ハンドル３４０の回転により、取り付け軸１１０は駆動軸４０２に対して前方又は後方に押される。
【００２０】
本発明は、上述の例示的な実施形態に限定されるものではない。例えば、位置リミッタ組立体は、スナップオン位置リミッタを省略してもよく、取り外し可能な取り付け軸１１０上に一つ以上の回転ローラリミッタ１２０のみを含んでもよい。
【図１】
2019517967.tif 000003
【図２】
2019517967.tif 000004
【図３】
2019517967.tif 000005
【図４】
2019517967.tif 000006
【図５】
2019517967.tif 000007
【図６】
2019517967.tif 000008
【図７】
2019517967.tif 000009
【図８】
2019517967.tif 000010
【国際調査報告】
2019517967.tif 000011
2019517967.tif 000012
2019517967.tif 000013